(57)【要約】      （修正有）【課題】小さい力で広い範囲を効率的に摩擦することができるだけでなく、摩擦対象である身体部位の形状に対応してその形態を変化させることができ、曲がった箇所でも真っ直ぐな箇所でも好適に摩擦することのできるとともに、操作性に優れた身体摩擦具を提供する。【解決手段】身体摩擦具１０を、屈曲変形又は湾曲変形可能な可動ジョイント１２を介して摩擦部となる複数本の棒状タワシ１１が長手方向に連結されて、最も外側に位置する一対の棒状タワシ１１のそれぞれの外端部に把手１３が取り付けられたものとした。この身体摩擦具１０は、把手１３を掴んで操作することにより、その摩擦部の形態を同一平面内で湾曲させることができる。【選択図】図２
0003170352.tif 000002
【実用新案登録請求の範囲】
【請求項１】
身体を摩擦するための身体摩擦具であって、
屈曲変形又は湾曲変形可能な可動ジョイントを介して摩擦部となる複数本の棒状タワシが長手方向に連結されて、
最も外側に位置する一対の棒状タワシのそれぞれの外端部に把手が取り付けられ、
把手を掴んで操作することにより、その摩擦部の形態を同一平面内で湾曲させることができるようにしたことを特徴とする身体摩擦具。
【請求項２】
可動ジョイントが、その片側に位置する一方の棒状タワシに接続される第一接続部と、その反対側に位置する他方の棒状タワシに接続される第二接続部と、前記交差角度の変化を許容するように第一接続部及び第二接続部を回動可能な状態で連結する回動軸とで構成された平蝶番とされた請求項２記載の身体摩擦具。
【請求項３】
可動ジョイントが、その片側に位置する一方の棒状タワシに一端部が接続されて、その反対側に位置する他方の棒状タワシに他端部が接続された板バネである請求項１記載の身体摩擦具。
【請求項４】
隣り合う一対の棒状タワシが為す角度θが所定角度θ１に達した際に可動ジョイントをロックすることにより、角度θが所定角度θ１を超えて、又は角度θが所定角度θ１未満となる範囲で前記一対の棒状タワシが移動するのを防止するためのロック手段が、可動ジョイントに設けられた請求項１〜３いずれか記載の身体摩擦具。
【請求項５】
棒状タワシが、多数本のヤシ繊維を金属線の周囲に放射状に結束したものである請求項１〜４いずれか記載の身体摩擦具。
【請求項６】
棒状タワシが布製袋によって覆われた請求項１〜５いずれか記載の身体摩擦具。
【請求項７】
２〜１０本の棒状タワシが可動ジョイントを介して長手方向に連結された請求項１〜６いずれか記載の身体摩擦具。
【考案の詳細な説明】
【技術分野】
【０００１】
本考案は、身体を洗浄するための身体洗浄具などとして好適に使用することのできる身体摩擦具に関する。
【背景技術】
【０００２】
身体を洗浄するための身体洗浄具としては、一般的に、天然繊維や合成繊維の編織地からなるボディタオルが使用されている。ボディタオルは、肌に優しく泡立ちが良いという利点を有するものの、それを用いて背中を洗う際には、その両端部を両手で掴んで背中側に押し付けながら上下動又は水平動させる必要があり、かなりの力を要するという欠点を有している。特に、子供やお年寄りなど、力が弱い人にとって、ボディタオルを用いて背中を洗うという作業は、重労働となっている。また、ボディタオルの両端部を掴んで背中などを洗っていると、ボディタオルが捩じれて紐状となるため、１回の洗浄動作で（ボディタオルを１回上下動させる間に）洗浄できる幅が狭いという欠点も有している。
【０００３】
このような実状に鑑みてか、これまでには、帯材の所定箇所にタワシ状の洗浄部を設けた身体洗浄具も提案されている。例えば、特許文献１では、織物で形成された帯材における長さ方向中央部にポケットを形成し、該ポケットに毛羽タワシを収容した身体洗浄具が提案されている。また、特許文献２では、柔軟な樹脂で形成された帯材の中央部における片面側にタワシ状の洗浄部を設けた身体洗浄具が提案されている。さらに、特許文献３では、柔軟性のある素材（タオル地）で形成された帯材における長さ方向中央部にポケットを形成し、該ポケットにタワシなどを収容した身体洗浄具が提案されている。さらにまた、特許文献４では、繊維製の生地で形成された帯材における長さ方向中央部の片面側にタワシ状の洗浄部を備え付けた身体洗浄具が提案されている。
【０００４】
これらタワシ状の洗浄部を設けた身体洗浄具も、ボディタオルと同様、背中を洗浄する際に、帯材の両端部を両手で掴んで動かさなければならないことに変わりはない。しかし、タワシ状の洗浄部を設けた身体洗浄具は、ボディタオルを使用する場合と比較して、少ない力でも背中などを洗浄することが可能である。また、帯材におけるタワシ状の洗浄部が設けられた部分は、紐状にならないので、１回の洗浄動作で洗浄できる幅も広く、洗浄に要する時間を短縮することもできる。このため、タワシ状の洗浄部を設けた身体洗浄具を好んで使用する者も多かった。
【０００５】
ところが、特許文献１，３，４の身体洗浄具のように、帯材が繊維で形成された素材である場合には、その帯材の両端部の位置（両手の位置）を変化させても、帯材が撓むだけでタワシ状の洗浄部が洗浄する箇所は変わらず、意図した箇所にタワシ状の洗浄部を移動させにくいという欠点がある。また、身体洗浄時に帯材が捩じれることにより、タワシ状の洗浄部の向きが変わることがあり、該洗浄部における所望の箇所が洗浄対象である身体部位に当たらなくなるおそれがある。帯材に捩じれが生じると、その都度捩じれを解かなければならず、非常に煩わしい。これに対し、特許文献２の身体洗浄具では、帯材に相当する部分が変形しにくくなっていると推測されるものの、その分、洗浄対象である身体部位の形状に追従しにくくなっていると考えられる。例えば、特許文献２の身体洗浄具で背筋に沿った箇所を洗浄しようとしても、身体洗浄具が真っ直ぐになりにくく、タワシ状の洗浄部が当該個所に当たりにくいと考えられる。
【先行技術文献】
【特許文献】
【０００６】
【特許文献１】実開平０７−０３９６８３号公報
【特許文献２】特開２００６−０５５６１０号公報
【特許文献３】実登第３１１７２５８号公報
【特許文献４】実登第３１５５４６７号公報
【考案の概要】
【考案が解決しようとする課題】
【０００７】
本考案は、上記課題を解決するためになされたものであり、身体を洗浄するための身体洗浄具などとして好適に使用することのできる身体摩擦具を提供するものである。特に、小さい力で広い範囲を効率的に洗う（摩擦する）ことができるだけでなく、洗浄対象（摩擦対象）である身体部位の形状に対応してその形態を変化させることができ、曲がった箇所でも真っ直ぐな箇所でも好適に洗浄（摩擦）することのできる身体洗浄具（身体摩擦具）を提供することを目的とする。また、操作性に優れた身体洗浄具（身体摩擦具）を提供することも本考案の目的である。
【課題を解決するための手段】
【０００８】
上記課題は、身体を洗浄（摩擦）するための身体洗浄具（身体摩擦具）であって、屈曲変形又は湾曲変形可能な可動ジョイントを介して洗浄部（摩擦部）となる複数本の棒状タワシが長手方向に連結されて、最も外側に位置する一対の棒状タワシのそれぞれの外端部に把手が取り付けられ、把手を掴んで操作することにより、その洗浄部（摩擦部）の形態を同一平面内で湾曲させることができるようにしたことを特徴とする身体洗浄具（身体摩擦具）を提供することによって解決される。
【０００９】
ここで、「複数本の棒状タワシが長手方向に連結」とは、別体からなる複数本の棒状タワシを連結した場合だけでなく、共通する金属線（線状芯材）に、タワシ状の部分を間歇的に設けた場合をも含むものとする。すなわち、一般的な棒状タワシは、複数本（通常２本）のワイヤー（金属線）を撚り合わせ、該金属線にヤシ繊維やシュロ繊維を放射状に結束することにより得られるが、図１に示すように、連続する共通な１本の金属線１１ａに対して間歇的にヤシ繊維１１ｂ等を結束させた形態のものも、「複数本の棒状タワシが長手方向に連結」に含まれるものとする。図１は、本考案の身体洗浄具１０の基本的な実施態様を示した平面図である。
【００１０】
これに対し、別体からなる複数本の棒状タワシを連結する場合には、それぞれの棒状タワシにおける金属線を接合するなどして一体化させるとよい。金属線を接合する方法としては、ホールセットなどの接続具を用いる方法、熱収縮チューブなどの熱収縮素材で金属線の接合部を覆って熱融着させる方法などが例示される。
【００１１】
また、「可動ジョイントを介して」とは、棒状タワシとは別体の可動ジョイントを介した形態に限定されず、棒状タワシと一体的に設けられた可動ジョイントを介する場合であってもよい。すなわち、図１に示す例では、上述したように、連続する共通な１本の金属線１１ａに対して間歇的にヤシ繊維１１ｂ等を結束させることにより、複数本の棒状タワシ１１を長手方向に連結しているが、この場合には、それぞれの棒状タワシ１１の間に位置する金属線１１ａが可動ジョイント１２として機能する。
【００１２】
本考案の身体洗浄具（身体摩擦具）は、棒状タワシを用いたものであるため、小さい力で身体を洗浄（摩擦）することが可能である。また、本考案の身体洗浄具（身体摩擦具）は、その周面のいずれの部分でも洗浄（摩擦）することができる複数本の棒状タワシを可動ジョイントを介して長手方向に連結したものであるため、洗浄対象（摩擦対象）である身体部位の形状に追従可能な構造としながらも、複数本の棒状タワシからなる洗浄部（摩擦部）があらゆる方向に不規則に変形しない構造としているので、把手の位置（両手の位置）を変化させると、洗浄部（摩擦部）の箇所を確実に移動させることができる。したがって、所望の箇所を確実に洗浄（摩擦）することができ、操作性に優れたものとなっている。
【００１３】
本考案の身体洗浄具（身体摩擦具）において、棒状タワシを連結する可動ジョイントは、屈曲変形又は湾曲変形可能なものであれば、その具体的な構造は、特に限定されない。例えば、可動ジョイントを、その片側に位置する一方の棒状タワシに接続される第一接続部と、その反対側に位置する他方の棒状タワシに接続される第二接続部と、前記交差角度の変化を許容するように第一接続部及び第二接続部を回動可能な状態で連結する回動軸とで構成された平蝶番とすると好ましい。これにより、可動ジョイントを屈曲可能なものとすることができる。可動ジョイントが複数箇所に存在する場合（棒状タワシが３本以上である場合）には、それぞれの可動ジョイント（平蝶番）の回動軸の向きは平行に揃えられる。これにより、身体洗浄具（身体摩擦具）の洗浄部（摩擦部）は、同一平面内でのみ屈曲するようになるので、洗浄対象（摩擦対象）である身体部位への追従性は確保しながらも、その操作性を高めることが可能になる。
【００１４】
また、可動ジョイントを、その片側に位置する一方の棒状タワシに一端部が接続されて、その反対側に位置する他方の棒状タワシに他端部が接続された板バネとすることも好ましい。これにより、可動ジョイントを湾曲可能なものとすることができる。板バネは、その表裏方向へは僅かな力で容易に湾曲させることができるものの、幅方向に湾曲させることや、捩じれ方向に変形させることは、人力では非常に困難である。板バネは、それに加えられている力を緩めると、元の形態に弾性復帰する。湾曲可能な可動ジョイントとしては、板バネのほか、コイルバネなどの弾性体も挙げることができる。しかし、コイルバネは、髪の毛などを挟み込むおそれがあるため、その外周面をカバーで覆うなどの工夫を要する。
【００１５】
本考案の身体洗浄具（身体摩擦具）においては、隣り合う一対の棒状タワシが為す角度θ（図２，３を参照）が所定角度θ１（図２を参照）に達した際に可動ジョイントをロックすることにより、角度θが所定角度θ１を超えて、又は角度θが所定角度θ１未満となる範囲（以下において、「不可動範囲」と呼ぶことがある。）で前記一対の棒状タワシが移動するのを防止するためのロック手段を可動ジョイントに設けることも好ましい。これにより、身体洗浄具（身体摩擦具）における洗浄部（摩擦部）を、角度θが所定角度θ１となった状態から一方向のみに湾曲する構造とすることができる。以下においては、角度θが所定角度θ１に達した状態を「ロック位置」と呼ぶことがある。これに対し、角度θが所定角度θ１以外である状態を「非ロック位置」と呼ぶことがある。
【００１６】
また、本考案の身体洗浄具（身体摩擦具）において、棒状タワシは、その外周面で洗浄（摩擦）することができる棒状のタワシであれば特に限定されない。しかし、多数本の繊維を金属線（線状芯材）の周囲に放射状に結束したものであると好適である。前記繊維は、従来のタワシで用いられている各種繊維（ヤシ繊維やシュロ繊維など）を用いることができる。なかでも、ヤシ繊維は、安価で入手できるだけでなく、身体洗浄具（身体摩擦具）として使用するのに適度な硬さを有するために好ましい。また、ヤシ繊維の先端部の面取りと繊維の数の増減によって肌触りと摩擦心地を調整することができる。
【００１７】
さらに、本考案の身体洗浄具（身体摩擦具）において、棒状タワシは、裸の状態であってもよいが、布製袋によって覆うと好ましい。これにより、棒状タワシの繊維先端が布製袋の目から適度に突き出て、身体洗浄具（身体摩擦具）の肌触りを向上することが可能になる。また、身体洗浄具（身体摩擦具）の泡立ちを向上することもできる。布製袋の素材は、棒状タワシの繊維先端が突き出る程度の寸法の目を有するのであれば特に限定されない。天然繊維又は合成繊維からなる織布又は不織布が例示される。特に、木綿からなる織布を使用すると、肌触りをさらに良くすることができる。
【００１８】
ところで、ヤシ繊維の先端部は、切断面が鋭角になっているので、人によっては痛く感じることがある。そこで、棒状タワシの表面を焼くことなどにより、ヤシ繊維の先端部の角を丸くしておくことも好ましい。
【００１９】
さらにまた、本考案の身体洗浄具（身体摩擦具）において、使用する棒状タワシの本数は、２本以上であれば特に限定されない。しかし、棒状タワシの本数を２本とした場合には、身体洗浄具（身体摩擦具）の変形自由度が低くなりすぎて、洗浄対象（摩擦対象）の身体部位によっては、該身体部位に追従させにくくなる。このため、棒状タワシの本数は、通常、３本以上とされる。一方、棒状タワシの本数が多くなりすぎると、身体洗浄具（身体摩擦具）を身体部位に追従させやすくはなるものの、構造が複雑になり、身体洗浄具（身体摩擦具）の製造コストの増大をまねく。このため、棒状タワシの本数は、通常、１０本以下とされる。棒状タワシの本数は、７本以下であると好ましく、５本以下であるとより好ましく、４本以下であるとさらに好ましい。棒状タワシの本数は、３本であると最適である。
【考案の効果】
【００２０】
以上のように、本考案によって、小さい力で広い範囲を効率的に洗う（摩擦する）ことができるだけでなく、洗浄対象（摩擦対象）である身体部位の形状に対応してその形態を変化させることができ、曲がった箇所でも真っ直ぐな箇所でも好適に洗浄（摩擦）することのできる身体洗浄具（身体摩擦具）を提供することが可能になる。また、操作性に優れた身体洗浄具（身体摩擦具）を提供することも可能になる。
【００２１】
また、老齢になればなるほど、背中や腰の部分に痒みを感じやすくなる傾向があり、一人暮らしの人が多くなっている現在、いわゆる「孫の手」などのかき具を使っても痒い所に届かず、痒み我慢しなければならない場合がある。このような場合でも、本考案の身体摩擦具を使用すれば、前記かき具ではかくことができなかった所も容易にかくことが可能になる。本考案の身体摩擦具は、身体洗浄具としてだけでなく、このような用途（身体かき具）でも用いることができる。
【図面の簡単な説明】
【００２２】
【図１】本考案の身体洗浄具の基本的な実施態様を示した平面図である。
【図２】ロック位置（伸長状態）にあるときの第一実施態様の身体洗浄具を示した平面図である。
【図３】非ロック位置（湾曲状態）にあるときの第一実施態様の身体洗浄具を示した平面図である。
【図４】ロック位置（伸長状態）にあるときの第二実施態様の身体洗浄具を示した平面図である。
【図５】非ロック位置（湾曲状態）にあるときの第三実施態様の身体洗浄具を示した平面図である。
【考案を実施するための形態】
【００２３】
本考案の身体摩擦具の好適な実施態様について、図面を用いてより具体的に説明する。以下においては、身体摩擦具の下位概念である身体洗浄具を例に挙げて説明するが、本考案の技術的範囲は、身体洗浄具に限定されず、身体かき具など、他の身体摩擦具をも含むものである。また、第一実施態様から第三実施態様までの３つの実施態様を例に挙げて本考案の身体洗浄具を説明するが、本考案の技術的範囲はこれらの実施態様に限定されることなく、適宜変更を加えることができる。
【００２４】
まず、第一実施態様の身体洗浄具について説明する。図２は、ロック位置（伸長状態）にあるときの第一実施態様の身体洗浄具１０を示した平面図である。図３は、非ロック位置（湾曲状態）にあるときの第一実施態様の身体洗浄具１０を示した平面図である。第一実施態様の身体洗浄具１０は、図２，３に示すように、３本の棒状タワシ１１が２箇所に設けられた可動ジョイント１２を介して長手方向に連結され、最も外側に位置する一対の棒状タワシ１１のそれぞれの外端部に把手１３が取り付けられた構造となっている。
【００２５】
棒状タワシ１１は、多数本のヤシ繊維１１ｂを金属線１１ａの周囲に放射状に結束したものを用いている。金属線１１ａには、通常、直径が０．５〜３ｍｍ、好ましくは１〜２ｍｍの針金が用いられる。棒状タワシ１１の長さは、棒状タワシ１１の本数などによっても異なり、特に限定されないが、通常、５〜３０ｃｍ程度とされる。棒状タワシ１１の長さは、８〜２５ｃｍであると好ましく、１０〜２０ｃｍであるとより好ましい。また、棒状タワシ１１の太さ（直径）は、身体洗浄具１０の用途（大人用、子供用、男性用、女性用など）によっても異なり、特に限定されないが、通常、３〜１５ｃｍとされる。棒状タワシ１１の直径は、５〜１０ｃｍであるとより好ましい。このように、身体洗浄具１０における洗浄部として棒状タワシ１１を用いることにより、少ない力で所望の洗浄効果を得るだけでなく、マッサージ効果や、血流やリンパ液の循環を促進する効果をも得ることが可能となる。
【００２６】
第一実施態様の身体洗浄具１０において、それぞれの可動ジョイント１２には、屈曲変形可能な構造のものを採用している。具体的には、図２，３に示すように、第一接続部１２ａと、第二接続部１２ｂと、回動軸１２ｃとで構成された平蝶番（ヒンジ）により、可動ジョイント１２を構成している。第一接続部１２ａは、可動ジョイント１２の片側に位置する一方の棒状タワシ１１の端部から突き出た金属線１１ａの端部に接続されている。また、第二接続部１２ｂは、可動ジョイント１２の反対側に位置する他方の棒状タワシ１１の端部から突き出た金属線１１ａの端部に接続されている。さらに、回動軸１２ｃは、前記交差角度の変化を許容するように第一接続部１２ａ及び第二接続部１２ｂを回動可能な状態で連結している。それぞれの可動ジョイント１２における回動軸１２ｃの向きは、平行に揃えられている。
【００２７】
可動ジョイント１２を上記のような構造とすることで、身体洗浄具１０の洗浄部は、図２，３に示すように同一平面（図２，３の紙面）内のみで屈曲するようになっている。このため、身体部位における湾曲した部分（例えば、腰回り部分、背中回り部分）に沿って身体洗浄具１０を動かす際には、身体洗浄具１０の洗浄部を湾曲した状態とすることができるようになっている。また、身体部位における真っ直ぐな部分（例えば、背筋に沿った部分）に沿って身体洗浄具１０を動かす際には、身体洗浄具１０の洗浄部を真っ直ぐな状態とすることもできるようになっている。
【００２８】
加えて、可動ジョイント１２を上記のような構造としたことで、身体洗浄具１０の洗浄部は、図２，３の紙面手前側又は奥側へは変形しないように（紙面手前側又は奥側には、棒状タワシ１１における金属線１１ａや可動ジョイント１２が有する弾性により僅かに弾性変形する程度と）なっている。したがって、身体洗浄具１０の洗浄部を所望の身体部位に宛がう際や、該身体部位で移動させる際に、身体洗浄具１０の洗浄部が意図しない方向に曲がったり、捩じれたりしないようになっており、身体洗浄具１０の洗浄部を所望の場所で所望の動きをさせることが容易となっている。
【００２９】
ところで、第一実施態様の身体洗浄具１０においては、図２，３に示すように、隣り合う一対の棒状タワシ１１が為す角度θが所定角度θ１に達した際（図２を参照）に可動ジョイント１２をロックすることにより、角度θが所定角度θ１を超えて前記一対の棒状タワシ１１が移動するのを防止するためのロック手段１２ｄを、可動ジョイント１２に設けている。ロック手段１２ｄの具体的な構造は、特に限定されない。第一実施態様の身体洗浄具１０においては、可動ジョイント１２における第一接続部１２ａと第二接続部１２ｂとが開く方向に回動して角度θが所定角度θ１に達した際（図２を参照）に、第二接続部１２ｂの背面に当接して第一接続部１２ａと第二接続部１２ｂとがそれ以上開かない状態とする板状のロック手段１２ｄを採用している。
【００３０】
所定角度θ１（ロック角度）をどの程度に設定するかは、棒状タワシ１１の本数などによって異なり、特に限定されない。しかし、所定角度θ１を小さく設定しすぎると、身体洗浄具１０の洗浄部が真っ直ぐに近い状態とならず、該洗浄部を真っ直ぐな箇所に宛てにくくなるおそれがある。このため、所定角度θ１は、通常、１５０°以上とされる。所定角度θ１は、１６０°以上であると好ましく、１７０°以上であるとより好ましい。一方、所定角度θ１を大きく設定しすぎると、ロック手段１２ｄを設ける意義が低下する。このため、所定角度θ１は、通常、２１０°以下とされる。所定角度θ１は、２００°以下であると好ましく、１９０°以下であるとより好ましい。第一実施態様の身体洗浄具１０において、所定角度θ１は１８０°としている。
【００３１】
このため、例えば、身体洗浄具１０で腰回りや背中回りを水平方向や斜め方向に洗う際に、身体洗浄具１０の洗浄部を図３に示すように湾曲状態として、その湾曲側（内側）が身体部位に当たるように使用すれば、当該身体部位を好適かつ容易に洗うことができる。一方、身体洗浄具１０で背筋に沿った箇所を上下方向に洗う際には、身体洗浄具１０の洗浄部を図２に示すように真っ直ぐな状態として、その非湾曲側（前記湾曲側の反対側）が身体部位に当たるように使用すれば、当該身体部位を好適かつ容易に洗うことができる。このように、身体洗浄具１０の洗浄部を一方向のみに湾曲する構造とすることにより、洗浄する場所や方向などによって身体洗浄具１０の向きを適宜選択することが可能となっている。
【００３２】
続いて、第二実施態様の身体洗浄具１０について説明する。図４は、ロック位置（伸長状態）にあるときの第二実施態様の身体洗浄具１０を示した平面図である。第二実施態様の身体洗浄具１０において、複数の棒状タワシ１１からなる洗浄部は、図４に示すように、布製袋１４（図４における網掛けハッチング部分）によって覆われている。布製袋１４は、木綿からなる織布を用いている。棒状タワシ１１のヤシ繊維１１ｂの先端は、布製袋１４の目から適度に露出した状態となっており、適度な肌触りと泡立ちを実現している。
【００３３】
布製袋１４は、それぞれの棒状タワシ１１ごとに被せてもよいが、第二実施態様の身体洗浄具１０においては、全ての棒状タワシ１１を共通の布製袋１４で覆っている。これにより、身体洗浄具１０の製造コストを抑えるだけでなく、可動ジョイント１２をも布製袋１４で覆うことが可能になり、可動ジョイント１２が人体に直接接触しないようにすることが可能となっている。第一実施態様の身体洗浄具１０で説明したロック手段１２ｄなど、他の構成については、第二実施態様の身体洗浄具１０においても同様に採用できる。
【００３４】
続いて、第三実施態様の身体洗浄具１０について説明する。図５は、非ロック位置（湾曲状態）にあるときの第三実施態様の身体洗浄具１０を示した平面図である。第三実施態様の身体洗浄具１０は、図５に示すように、可動ジョイント１２として板バネ１２ｅを用いたものとなっている。板バネ１２ｅの一方の端部は、板バネ１２ｅの片側に位置する一方の棒状タワシ１１の端部から突出した金属線１１ａの端部に接続されており、板バネ１２の他方の端部は、板バネ１２ｅの反対側に位置する他方の棒状タワシ１１の端部から突出した金属線１１ａの端部に接続されている。第一実施態様の身体洗浄具１０における可動ジョイント１２（平蝶番）と同様の動作は、このような板バネ１２ｅを使用することによっても実現できる。第一実施態様の身体洗浄具１０で説明したロック手段１２ｄや第二実施態様の身体洗浄具１０で説明した布製袋１４など、他の構成については、第三実施態様の身体洗浄具１０においても同様に採用できる。
【符号の説明】
【００３５】
１０    身体洗浄具（身体摩擦具）
１１    棒状タワシ
１１ａ  金属線（線状芯）
１１ｂ  ヤシ繊維（繊維）
１２    可動ジョイント
１２ａ  第一接続部
１２ｂ  第二接続部
１２ｃ  回動軸
１２ｄ  ロック手段
１２ｅ  板バネ
１３    把手
１４    布製袋
【図１】
0003170352.tif 000003
【図２】
0003170352.tif 000004
【図３】
0003170352.tif 000005
【図４】
0003170352.tif 000006
【図５】
0003170352.tif 000007
【手続補正書】
【提出日】平成23年7月7日(2011.7.7)
【手続補正１】
【補正対象書類名】実用新案登録請求の範囲
【補正対象項目名】全文
【補正方法】変更
【補正の内容】
【実用新案登録請求の範囲】
【請求項１】
身体を摩擦するための身体摩擦具であって、
屈曲変形又は湾曲変形可能な可動ジョイントを介して摩擦部となる複数本の棒状タワシが長手方向に連結されて、
最も外側に位置する一対の棒状タワシのそれぞれの外端部に把手が取り付けられ、
把手を掴んで操作することにより、その摩擦部の形態を同一平面内で湾曲させることができるようにしたことを特徴とする身体摩擦具。
【請求項２】
可動ジョイントが、その片側に位置する一方の棒状タワシに接続される第一接続部と、その反対側に位置する他方の棒状タワシに接続される第二接続部と、前記交差角度の変化を許容するように第一接続部及び第二接続部を回動可能な状態で連結する回動軸とで構成された平蝶番とされた請求項１記載の身体摩擦具。
【請求項３】
可動ジョイントが、その片側に位置する一方の棒状タワシに一端部が接続されて、その反対側に位置する他方の棒状タワシに他端部が接続された板バネである請求項１記載の身体摩擦具。
【請求項４】
隣り合う一対の棒状タワシが為す角度θが所定角度θ１に達した際に可動ジョイントをロックすることにより、角度θが所定角度θ１を超えて、又は角度θが所定角度θ１未満となる範囲で前記一対の棒状タワシが移動するのを防止するためのロック手段が、可動ジョイントに設けられた請求項１〜３いずれか記載の身体摩擦具。
【請求項５】
棒状タワシが、多数本のヤシ繊維を金属線の周囲に放射状に結束したものである請求項１〜４いずれか記載の身体摩擦具。
【請求項６】
棒状タワシが布製袋によって覆われた請求項１〜５いずれか記載の身体摩擦具。
【請求項７】
２〜１０本の棒状タワシが可動ジョイントを介して長手方向に連結された請求項１〜６いずれか記載の身体摩擦具。